(57)【要約】【課題】停電時に電池駆動が可能であり、且つ、内部への煮汁の進入を抑制できる加熱調理器を提供する。【解決手段】コンロは、筐体と、記筐体の前面に固定された左フロントパネル８０及び右フロントパネルとを備える。又、コンロは、左フロントパネル８０に対して進退可能に設けられ、電池を収容可能な電池収容部６１を有する。電池は、停電時等における電源として用いられる。コンロは更に、電池収容部６１の上方に設けられ、筐体の左右方向中央に近接する側から、左右方向の外側に向けて下方に傾斜した庇部８８を有する。コンロは、左フロントパネル８０の開口部８６を介して内部に煮汁が進入することを、庇部８８を伝って煮汁を外部に誘導することにより抑制する。【選択図】図６
2020193775.tif 000002
【特許請求の範囲】
【請求項１】
筐体と、
前記筐体の前面に固定されたフロントパネルと
を備えた加熱調理器において、
前記フロントパネルに対して進退可能に設けられ、電池を収容可能な電池収容部と、
前記電池収容部の上方に設けられ、前記筐体の左右方向中央に近接する側から、左右方向の外側に向けて下方に傾斜した庇部と
を備えたことを特徴とする加熱調理器。
【請求項２】
前記電池収容部は、
前記電池を収容する有底箱状の本体部と、
前記本体部の上部開口に装着される蓋部と、
を有し、
前記蓋部は、
前端部から下方に延び、前記本体部の前方上端部に重なる重合部を有する
ことを特徴とする請求項１に記載の加熱調理器。
【請求項３】
前記蓋部の上面に、左右方向に延びる少なくとも１つの第１突条が形成されたことを特徴とする請求項２に記載の加熱調理器。
【請求項４】
前記蓋部の周端部の少なくとも一部に、上方に向けて突出した第２突条が形成されたことを特徴とする請求項３に記載の加熱調理器。
【発明の詳細な説明】
【技術分野】
【０００１】
本発明は加熱調理器に関する。
【背景技術】
【０００２】
通常時には商用電源から電源が供給される加熱調理器において、停電時において電池から電源を供給する為の技術が提案されている。特許文献１に記載のガスコンロは、延長コードの一端側が接続されるコネクタを有する。延長コードの他端側には、電池が収容された補助電源が接続される。停電時、補助電源から延びる延長コードの一端側は、ガスコンロのコネクタに接続される。これにより、補助電源の電池から延長コードを介してガスコンロに電源が供給され、ガスコンロは暫定的に使用可能となる。
【先行技術文献】
【特許文献】
【０００３】
【特許文献１】特開２００８−８５３６号公報
【発明の概要】
【発明が解決しようとする課題】
【０００４】
施工や配線の取り回しの不便さ等を考慮した場合、上記のように外部配線を介して電池から電源が供給されるのではなく、加熱調理器本体に電池収容部を設け、この電池収容部に収容された電池から電源が直接供給されることが好ましい。例えば、手前側に引き出すことが可能な電池収容部を加熱調理器のフロントパネルに設けた場合、ユーザは、電池収容部の電池を容易に交換することが可能となる。しかし、本構成の場合、電池収容部に収容される電池の数が多くなる程、電池収容部を手前に引きだしたときにフロントパネルに形成される開口部も大きくなる。この場合、開口部を介して加熱調理器の内部に煮汁が進入し易くなり、好ましくない。
【０００５】
本発明の目的は、停電時に電池駆動が可能であり、且つ、内部への煮汁の進入を抑制できる加熱調理器を提供することである。
【課題を解決するための手段】
【０００６】
請求項１に記載の加熱調理器は、筐体と、前記筐体の前面に固定されたフロントパネルとを備えた加熱調理器において、前記フロントパネルに対して進退可能に設けられ、電池を収容可能な電池収容部と、前記電池収容部の上方に設けられ、前記筐体の左右方向中央に近接する側から、左右方向の外側に向けて下方に傾斜した庇部とを備えたことを特徴とする。
【０００７】
請求項２に記載の加熱調理器の前記電池収容部は、前記電池を収容する有底箱状の本体部と、前記本体部の上部開口に装着される蓋部と、を有し、前記蓋部は、前端部から下方に延び、前記本体部の前方上端部に重なる重合部を有するとよい。
【０００８】
請求項３に記載の加熱調理器の前記蓋部の上面に、左右方向に延びる少なくとも１つの第１突条が形成されるとよい。
【０００９】
請求項４に記載の加熱調理器の前記蓋部の周端部の少なくとも一部に、上方に向けて突出した第２突条が形成されるとよい。
【００１０】
請求項１に記載の加熱調理器において、庇部は、電池収容部が引き出された時にフロントパネルに形成される開口部に対して上側から内部に煮汁が進入することを抑制できる。又、庇部に傾斜が設けられることにより、煮汁を外側に導いて排出できる。
【００１１】
請求項２に記載の加熱調理器は、本体部の前方上端部から内部に煮汁が進入することを、重合部により抑制できる。
【００１２】
請求項３に記載の加熱調理器において、フロントパネルの開口上端部と蓋部との間の距離を、電池収容部が引きさる過程で第１突条により断続的に変動させることができる。この場合、フロントパネルの開口上端部と蓋部との間に形成された煮汁のブリッジを、開口上端部と蓋部との間の距離を断続的に変動させることにより解消できる。従って、加熱調理器は、煮汁のブリッジがフロントパネルの開口部を介して内部に進入することを抑制できる。
【００１３】
請求項４に記載の加熱調理器は、第１突条によって解消されたブリッジの煮汁を、蓋部の上面のうち第２突条で囲まれた部位で保持できる。このため、加熱調理器は、蓋部の上面に溜まった煮汁が、フロントパネルの開口部を介して内部に進入することを抑制できる。更に、加熱調理器は、蓋部の上面に溜まった煮汁を掬い取って排出することが容易に可能となる。
【図面の簡単な説明】
【００１４】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】図３とは違う角度から視た斜視図である。
【図５】電池収容部６１が収容された左フロントパネル８０の斜視図である。
【図６】電池収容部６１が引き出された左フロントパネル８０の斜視図である。
【図７】電池収容部６１の分解斜視図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１６】
＜コンロ１の概要＞
図１〜図４を参照し、コンロ１の構造を説明する。図１に示すコンロ１は、ビルトインコンロである。コンロ１は筐体２と天板３を備える。筐体２の上側に天板３が載置される。筐体２は、上部に開口部（図示略）を有する。天板３は、筐体２の開口部を上側から閉塞する。天板３は、ガラス製の本体板３Ａ、及び、本体板３Ａの下面に固定された固定部３Ｂ（図４参照）を有する。本体板３Ａの上面左側には左バーナ４、上面右側には右バーナ５、上面後側にはグリル用の排気口７が夫々設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１７】
図３、図４に示す左フロントパネル８０及び右フロントパネル９０は、それぞれ、筐体２の前面に固定される。図１に示すように、右フロントパネル９０の前面上部に設けられた電源スイッチ１９は、化粧板６Ｃの前面上部の開口６０から前方に突出する。筐体２の前面から化粧板６Ａ〜６Ｄを取り外すと、図３、図４に示す左フロントパネル８０及び右フロントパネル９０の前面が露出する。図３に示すように、左フロントパネル８０の前面下部には、空気入口８５１が設けられる。右フロントパネル９０の前面下部には、空気入口９５１が設けられる。空気入口８５１、９５１は、外部の空気を内側に取り入れる。
【００１８】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって透過性を有する。以下、左操作部１１、右操作部１２、及びグリル用発光表示部１３を総称して「入出力部１４」という。
【００１９】
天板３の本体板３Ａの下面の前側部には、上面に設けられた入出力部１４に対応するように、非図示の電装基板が接着剤、又は両面テープ等で貼着される。電装基板には、複数のＬＥＤ、近接センサ等が実装される。複数のＬＥＤから発光された光は、入出力部１４の表示部を介して上方に出射する。近接センサは、入出力部１４の受付部に対するユーザのタッチ操作を検出可能である。電装基板を下方から内包するように、センサケース４０が固定部３Ｂ（図４参照）を介して固定される。固定部３Ｂは、天板３の本体板３Ａの下面に、本体板３Ａの下側の少なくとも一部を覆うように固定される。
【００２０】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。
【００２１】
センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサ３１〜３９は、天板３の下面に固定されたセンサケース４０に収容されると共に、天板３の下面側に支持される。
【００２２】
図４に示すように、センサケース４０は、左右方向に延びる樹脂製の構造物である。センサケース４０は、本体部４１を備える。本体部４１は、平面視左右方向に延びるケース体である。センサケース４０の左端部の左筒部４２には、左フロントパネル８０の空気入口８５１（図３参照）との間に亘って上下方向に延びる略筒状の左ダクト部７１が接続される。左ダクト部７１の内側には、冷却ファン（図示略）が取り付けられる。冷却ファンによって左フロントパネル８０の空気入口８５１に取り込まれた冷却空気は、左ダクト部７１を介してセンサケース４０に供給される。センサケース４０の右端部の右筒部４３には、右フロントパネル９０の空気入口９５１（図３参照）との間に亘って上下方向に延びる略筒状の右ダクト部７２が接続される。右ダクト部７２の内側には、冷却ファン（図示略）が取り付けられる。冷却ファンによって右フロントパネル９０の空気入口９５１に取り込まれた冷却空気は、右ダクト部７２を介してセンサケース４０に供給される。供給された冷却空気は、センサケース４０内の電装基板及びセンサ３１〜３９（図２参照）を冷却する。
【００２３】
＜左フロントパネル８０、右フロントパネル９０＞
図３に示すように、右フロントパネル９０は、正面視縦長略矩形状に形成され、前壁部９１と後方筒部９２を備える。前壁部９１は正面視上下方向に長い略矩形状に形成される。前壁部９１の上端部近傍且つ左右方向中央よりも右側に、電源スイッチ１９が設けられる。前壁部９１の上下方向中央よりも上側には、化粧板６Ｃ（図１参照）が取り付けられる。前壁部９１の上下方向中央よりも下側に、操作部９が回動可能に軸支される。操作部９の前面には、矩形状の開口部９Ｂが設けられる。操作部９の前面には、化粧板６Ｄ（図１参照）が取り付けられる。化粧板６Ｄの上部を指で後方に押し込むと、非図示のロック機構によるロックが外れ、下部を基点に前方に回動する。その結果、操作部９の背面側に設けられたグリル用の操作パネルが前方に引き出される。
【００２４】
後方筒部９２は、前壁部９１の上下方向中央よりも下側の部分から後方に突出して設けられる。後方筒部９２の底面には、吸気通路部９５が設けられる。吸気通路部９５の前端部には、その開口を塞ぐようにして、板状の閉塞部９５５が設けられ、その下側に空気入口９５１が設けられる。空気入口９５１は下向きに開口する。
【００２５】
図４に示すように、後方筒部９２の後方に右ダクト部７２の下端部が接続される。右ダクト部７２は上下方向に延びる。右ダクト部７２の下端部は、空気入口９５１（図３参照）に連通する。右ダクト部７２の上端部は、右筒部４３の下端開口部４３１に連通する。右ダクト部７２内に設けられた冷却ファンが回転した場合、空気入口９５１に取り込まれた冷却空気は、右ダクト部７２を介して左筒部４２に向けて流れ、センサケース４０に供給される。
【００２６】
なお、詳述しないが、図３に示すように、左フロントパネル８０も、右フロントパネル９０と同様に、前壁部８１と後方筒部８２を備える。後方筒部８２の底面には、吸気通路部８５が設けられる。吸気通路部８５の前端部に閉塞部８５５が設けられ、その下側に、空気入口８５１が設けられる。図４に示すように、後方筒部８２の後方に左ダクト部７１の下端部が接続される。左ダクト部７１の下端部は空気入口８５１（図３参照）に連通する。左ダクト部７１の上端部は、左筒部４２の下端開口部４２１に連通する。左ダクト部７１内に設けられた冷却ファンが回転した場合、空気入口８５１に取り込まれた冷却空気は、左ダクト部７１を介して左筒部４２に向けて流れ、センサケース４０に供給される。
【００２７】
図５に示すように、左フロントパネル８０の前壁部８１の上下方向略中央且つ吸気通路部８５よりも上方に、矩形状の開口部８６が設けられる。開口部８６には、後述の電池収容部６１が進退可能に設けられる。電池収容部６１の詳細は後述する。前壁部８１のうち電池収容部６１の上方に庇部８８が設けられる。庇部８８は、前壁部８１の前面から前方に突出し、左右方向に対して傾斜しながら延びる。より詳細には、庇部８８は、左フロントパネル８０の前壁部８１の右端部から左端部に向けて、下方に傾斜しながら延びる。なお、左フロントパネル８０の前壁部８１の右端部は、コンロ１（図１参照）の筐体２（図１参照）の左右方向中央に近接する側に対応する。従って庇部８８は、言い換えれば、筐体２の左右方向中央に近接する側から、筐体２の左外方に向けて、下方に傾斜する。
【００２８】
＜電池収容部６１＞
図３に示すように、左フロントパネル８０のうち吸気通路部８５の上方に、電池収容部６１が設けられる。電池収容部６１には、停電時において電装基板やセンサ３１〜３９等の電源を確保する為の電池が収容される。図５は、前壁部８１の開口部８６に電池収容部６１が収容された状態を示す。図６は、開口部８６から電池収容部６１が前方に引き出された状態を示す。電池収容部６１に収容される電池は、電池収容部６１が開口部８６から引き出された状態で交換可能となる。電池収容部６１は、本体部６２及び蓋部６３を有する。蓋部６３は本体部６２に対して着脱可能である。蓋部６３は、電池を交換する時に本体部６２から取り外される。
【００２９】
図７に示すように、本体部６２は有底箱状を有し、上部に開口部６２０を有する。本体部６２には、６本の単三乾電池が左右方向に並べられた状態で収容可能である。本体部６２の内部に、収容された６本の単三乾電池を仕切る複数の仕切壁６９Ａ、及び、複数の電極６９Ｂが配置される。本体部６２の前側の壁部６２Ａのうち左右方向中央に、ユーザが電池収容部６１を左フロントパネル８０から引き出す時に把持される取っ手６２１が設けられる。
【００３０】
本体部６２の左右両側の壁部６２Ｂの下端部に、外方向に突出して前後方向に延びる一対の突出部６２２が設けられる。一対の突出部６２２は、左フロントパネル８０の開口部８６に設けられた一対のガイドレール８７により、前後方向に移動可能に支持される。一対のガイドレール８７は、開口部８６の左右両端部且つ下端部に設けられ、前後方向に延びる。一対のガイドレール８７は、それぞれ、左右外方向に凹んだ凹部を有する。電池収容部６１の一対の突出部６２２は、一対のガイドレール８７の凹部に摺動可能に嵌合する。
【００３１】
蓋部６３は、平面視にて、本体部６２の開口部６２０よりも僅かに大きい略矩形状を有する。蓋部６３は本体部６２の開口部６２０に対して着脱可能である。蓋部６３は、本体部６２の開口部６２０に装着された場合、図６に示すように開口部６２０を上側から覆う。蓋部６３の右端部に設けられたロック機構６３１は、本体部６２に蓋部６３が装着された状態で開口部６２０の近傍に嵌合し、本体部６２から蓋部６３が脱離することを抑制する。一方、ロック機構６３１は、ユーザによる操作に応じ、本体部６２から蓋部６３が脱離可能な状態に切り替わる。
【００３２】
図７に示すように、蓋部６３は、前端部、及び、左右両端部の前端近傍から下方に向けて延びる重合部６４を有する。重合部６４は、前端部から下方に延びる重合部６４Ａ、及び、左右両端部から下方に延びる一対の重合部６４Ｂを有する。図５〜図６に示すように、蓋部６３が本体部６２に装着された状態で、重合部６４Ａは、本体部６２の前方上端部、即ち、本体部６２の開口部６２０の前端部近傍に対して前方に配置される。重合部６４Ａは、本体部６２の開口部６２０の前端部を覆う。重合部６４は、本体部６２の前方上端部と前後方向に重なる。一対の重合部６４Ｂは、本体部６２の左右両端部の前方上端部に対して左右外側に配置される。一対の重合部６４Ｂは、本体部６２の開口部６２０の左右両端部の前端近傍を覆う。
【００３３】
図７に示すように、蓋部６３は更に、複数の第１突条６５及び第２突条６６を上面６３０に有する。複数の第１突条６５は、左右方向にそれぞれ平行に延びる２つの第１突条６５Ａ、６５Ｂを備える。第１突条６５Ａ、６５Ｂは、それぞれ、蓋部６３の上面から上方に突出し、蓋部６３の左端部と右端部との間に亘って延びる。第１突条６５Ａ、６５Ｂは、蓋部６３を前後方向に３等分するための２つの等分位置のそれぞれに配置される。第１突条６５Ａは、第１突条６５Ｂに対して前側に配置される。
【００３４】
第２突条６６は、蓋部６３の上面６３０の前後左右の周端部のうち、左端部、右端部、及び後端部に設けられ、上方に突出する。第２突条６６のうち、上面６３０の左端部から突出する部分は、第１突条６５Ａ、６５Ｂのそれぞれの左端部と連結する。第２突条６６のうち、蓋部６３の上面６３０の右端部から突出する部分は、第１突条６５Ａ、６５Ｂのそれぞれの右端部と連結する。
【００３５】
＜本実施形態の作用、効果＞
コンロ１の使用中において、左フロントパネル８０の上端部から煮汁が前壁部８１を伝って下方に進入する場合がある。これに対し、コンロ１では、前壁部８１に設けられた庇部８８が煮汁を受け、筐体２の左右方向外側に向けて誘導し、煮汁を排出する。このため、電池収容部６１が引き出された時に露出する左フロントパネル８０の開口部８６に対して上側から内部に煮汁が進入することを、庇部８８により抑制できる。又、庇部８８に設けられた傾斜により煮汁を筐体２の外側に導いて排出できる。
【００３６】
電池収容部６１の蓋部６３に設けられた重合部６４Ａは、電池収容部６１が左フロントパネル８０に収容された状態（図５参照）において、本体部６２の開口部６２０の前端部から内部に煮汁が進入することを抑制できる。
【００３７】
左フロントパネル８０の開口部８６の上端部と蓋部６３との間に煮汁のブリッジが形成された場合、電池収容部６１が引き出された状態で該ブリッジが破断すると、開口部８６内に煮汁が進入する可能性がある。これに対し、蓋部６３の上面６３０に設けられた第１突条６５Ａ、６５Ｂは、左フロントパネル８０の開口部８６の上端部と蓋部６３との間の隙間の間隔を、電池収容部６１が引き出される過程で断続的に変動させる。煮汁のブリッジは、該隙間の間隔の断続的な変動により、電池収容部６１が引き出される前に破断される。従ってコンロ１は、ブリッジの形成により煮汁が左フロントパネル８０の開口部８６を介して内部に進入することを抑制できる。
【００３８】
コンロ１は、第１突条６５によりブリッジが破断されることに応じて蓋部６３の上面６３０に残留する煮汁を、第２突条６６で囲まれた部位で保持できる。このため、コンロ１は、蓋部６３の上面６３０に残留した煮汁が、左フロントパネル８０の開口部８６を介して内部に進入することを、第２突条６６により抑制できる。更に、コンロ１は、蓋部６３の上面６３０に溜まった煮汁を掬い取って排出することが容易に可能となる。
【００３９】
＜変形例＞
本発明は上記実施形態に限定されず、種々の変更が可能である。蓋部６３の周端部にゴムパッキン等が設けられていてもよい。電池収容部６１の本体部６２の開口部６２０は、ゴムパッキンを介して蓋部６３に密着してもよい。この場合、蓋部６３に重合部６４Ａ及び一対の重合部６４Ｂは設けられなくてもよい。蓋部６３は重合部６４Ａのみ有し、一対の重合部６４Ｂを有さなくてもよい。第１突条６５の数は上記実施形態に限定されず、１つ、又は、３つ以上であってもよい。蓋部６３の上面６３０に第１突条６５は設けられなくてもよい。第２突条６６は、蓋部６３の上面６３０の周端部のすべての部位に設けられていてもよい。即ち、第２突条６６は環状に形成されていてもよい。第２突条６６の前端部に、第２突条６６により囲まれた部位に残留した煮汁を排出するための溝等が設けられていてもよい。蓋部６３に第２突条６６は設けられなくてもよい。
【００４０】
上記実施形態のコンロ１は、ビルトインコンロであるが、テーブルコンロであってもよい。また、コンロバーナの数は、上記実施形態では二つであるが、一つ、又は三つ以上であってもよい。
【符号の説明】
【００４１】
１      ：コンロ
２      ：筐体
６１    ：電池収容部
６２    ：本体部
６３    ：蓋部
６４、６４Ａ、６４Ｂ  ：重合部
６５、６５Ａ、６５Ｂ  ：第１突条
６６    ：第２突条
８０    ：左フロントパネル
９０    ：右フロントパネル
６２０  ：開口部
【図１】
2020193775.tif 000003
【図２】
2020193775.tif 000004
【図３】
2020193775.tif 000005
【図４】
2020193775.tif 000006
【図５】
2020193775.tif 000007
【図６】
2020193775.tif 000008
【図７】
2020193775.tif 000009